(57)【要約】【課題】ケースの面に、外力による変形や成型時に生じる反りなどの形状変形が生じた場合であっても、密封性が損なわれる可能性が小さい筐体構造を提供する。【解決手段】上ケース２に保持され凹状の嵌合溝４０を有する密封パッキン上４と、前記上ケース２と嵌合する下ケース３に保持され前記凹状の嵌合溝４０と嵌合する凸状の嵌合リブ５０が一体成型されたまたは接着された密封パッキン下５と、から成る密封機能を有する筐体構造を特徴とする。【選択図】  図３
2016189438.tif 000002
【特許請求の範囲】
【請求項１】
第１の筐体に保持され凹状の嵌合溝を有する第１の密封パッキンと、
前記第１の筐体と嵌合する第２の筐体に保持され前記凹状の嵌合溝と嵌合する凸状の嵌合リブが一体成型されたまたは接着された第２の密封パッキンと、
から成ることを特徴とする密封機能を有する筐体構造。
【発明の詳細な説明】
【技術分野】
【０００１】
本発明は、密封機能を有する筐体構造に関する。
【背景技術】
【０００２】
密封機能を有する機器（例えば、浴室に設置する防水型インターホン等）における、複数の筐体部品から成る筐体構造として、例えば、上筐体と下筐体の勘合部の上筐体の面と下筐体の面を、密封パッキンを挟んで圧着する構造が一般的である（例えば、特許文献１）。
【０００３】
しかしながら、特許文献1に記載されているような一般的な構造では、上筐体と下筐体が嵌合する部位の、面と面を密封パッキンを挟んで圧着するので、各筐体の面に変形が生じた場合、密封パッキンによって圧着される圧力が不均一となり、密封性すなわち防水性や気密性が損なわれるおそれがあった。
【先行技術文献】
【特許文献】
【０００４】
【特許文献１】特開２０１３−１７５４８９号公報
【発明の概要】
【発明が解決しようとする課題】
【０００５】
そこで、本発明の課題は、筐体の面に変形が生じた場合であっても、密封性が損なわる可能性が小さい筐体構造を提供することにある。
【課題を解決するための手段】
【０００６】
上記課題を解決するために、本発明は、第１の筐体に保持され凹状の嵌合溝を有する第１の密封パッキンと、前記第１の筐体と嵌合する第２の筐体に保持され前記凹状の嵌合溝と嵌合する凸状の嵌合リブが一体成型されたまたは接着された第２の密封パッキンと、から成ることを特徴とする。
【発明の効果】
【０００７】
本発明によれば、上筐体と下筐体が嵌合する部位の上筐体の端部と下筐体の端部を、密封パッキンを挟んで上下方向に圧着するので、各筐体の面に変形が生じた場合であっても、上筐体の端部と下筐体の端部の上下方向の変形は小さい。従って、上筐体の端部と下筐体の端部で上下方向に圧着される、密封パッキンによって圧着される圧力の均一性への影響は小さく、筐体の面に変形が生じた場合であっても、密封性が損なわる可能性が小さい筐体構造を提供することができる。
【図面の簡単な説明】
【０００８】
【図１】本発明の実施の一形態に係る防水機器の構成を示す分解図
【図２】本発明の実施の一形態に係る防水機器を示す斜視図
【図３】密封パッキンの圧着を示す図２のＡ−Ａ線断面図
【発明を実施するための形態】
【０００９】
以下、本発明の実施の一形態について、密封機能を有する筐体構造として防水機器を例に図面を参照しながら説明する。ただし、以下の説明は、あくまでも本発明の例示にすぎず、以下の記載によって発明の技術的範囲が限定されるものではない。
【００１０】
図１は、本発明の実施の一形態に係る防水機器１の構成を示す分解図である。図示するように防水機器１は、上ケース２と、下ケース３と、密封パッキン上４と、密封パッキン下５と、から構成される。
【００１１】
防水機器１は、自装置に搭載された非防水の無線通信部品を収納する防水ケースである。
【００１２】
密封パッキン上４は、凹状の嵌合溝が全周に設けられている。密封パッキン下５は、凸状の嵌合リブが全周に設けられている。密封パッキン上４の嵌合溝と密封パッキン下５の嵌合リブが嵌合し、密封性を有する。
【００１３】
密封パッキン上４は、柔らかいシリコンゴムで成形されている。
【００１４】
尚、密封パッキン上４は、防水性能を有する柔らかい素材であれば適用可能の為、シリコンゴムに限らず、例えば熱可塑性エラストマー等を使っても良い。
【００１５】
密封パッキン下５の硬い凸状の嵌合リブが密封パッキン下５に一体成型されたまたは接着する。
【００１６】
密封パッキン下５は防水性能のある熱可塑性エラストマーで成形されている。
【００１７】
尚、密封パッキン下５は、防水性能を有する素材であれば適用可能の為、熱可塑性エラストマーに限らず、例えばゴムやシリコン等を使っても良い。
【００１８】
密封パッキン上４は請求項における第１の密封パッキンに相当する。密封パッキン下５は請求項における第２の密封パッキンに相当する。
【００１９】
上ケース２と下ケース３は、密封パッキン上４と密封パッキン下５を保持し、防水機器１の外装を構成する筐体である。上ケース２は請求項における第１の筐体に相当する。下ケース３は請求項における第２の筐体に相当する。
【００２０】
図２は、本発明の実施の一形態に係る防水機器１を示す斜視図である。
【００２１】
図示するように、防水機器１は外装として、上ケース２と、下ケース３の筐体を構成している。図中のＡ−Ａ線は後述する図３の断面図の線断位置を示す。
【００２２】
図３は、密封パッキンの圧着を示す図２のＡ−Ａ線断面図である。
【００２３】
図示するように、上ケース２は、密封パッキン上収容部２０、上ケース端部２１が設けられている。下ケース３は、下ケース端部３０が設けられている。
【００２４】
密封パッキン上４は、嵌合溝４０が設けられている。密封パッキン下５は、嵌合リブ５０が設けられている。
【００２５】
密封パッキン上４と密封パッキン上収容部２０が嵌合し、且つ、嵌合溝４０と嵌合リブ５０が嵌合し、上ケース端部２１および下ケース端部３０が密封パッキン下５を圧着し、気密性を有する。
【００２６】
以上、本発明の実施の一形態について説明した。
【００２７】
本発明の実施の一形態によれば、防水機器１は、上ケース２に保持され凹状の嵌合溝４０を有する密封パッキン上４と、前記上ケース２と嵌合する下ケース３に保持され前記凹状の嵌合溝４０と嵌合する凸状の嵌合リブ５０が一体成型されたまたは接着された密封パッキン下５と、から構成される。
【００２８】
これにより、上ケースと下ケースが嵌合する部位の上ケースの端部と下ケースの端部を、密封パッキンを挟んで上下方向に圧着するので、各ケースの面に変形が生じた場合であっても、上ケースの端部と下ケースの端部の上下方向の変形は小さい。従って、上ケースの端部と下ケースの端部で上下方向に圧着される、密封パッキンによって圧着される圧力の均一性への影響は小さく、ケースの面に変形が生じた場合であっても、密封性が損なわる可能性が小さい筐体構造を提供することができる。
【００２９】
尚、本発明の実施の一形態において、密封機能を有する筐体構造として防水機器を例に説明したが、本願はこれに限定しない。例えば、密封機能を必要とする防塵機器であってもよい。
【符号の説明】
【００３０】
１…防水機器、２…上ケース、３…下ケース、４…密封パッキン上、５…密封パッキン下、２０…密封パッキン上収容部、２１…上ケース端部、３０…下ケース端部、４０…嵌合溝、５０…嵌合リブ
【図１】
2016189438.tif 000003
【図２】
2016189438.tif 000004
【図３】
2016189438.tif 000005